(57)【要約】【課題】排泄物を受けた後のトップシートが着用者の肌に接触することを抑制する。【解決手段】着用者からの排泄物を受ける吸収性物品１は、透液性のトップシート２１と、撥液性または不透液性のバックシート２３と、吸収体２２と、一対のサイドシート２４と、撥液性または不透液性のカバーシート２５とを備える。吸収体２２は、トップシート２１とバックシート２３との間に配置される。一対のサイドシート２４は、トップシート２１の幅方向の両側に配置されて、着用時に着用者側へと起立する。カバーシート２５の幅方向の両端部は、一対のサイドシート２４に接続される。カバーシート２５は、一対のサイドシート２４の間において、全幅に亘ってトップシート２１と離間可能である。これにより、排泄物を受けた後のトップシート２１が着用者の肌に直接的に接触することを抑制することができる。【選択図】図１
2020191996.tif 000002
【特許請求の範囲】
【請求項１】
着用者からの排泄物を受ける吸収性物品であって、
透液性のトップシートと、
撥液性または不透液性のバックシートと、
前記トップシートと前記バックシートとの間に配置される吸収体と、
前記トップシートの幅方向の両側に配置されて着用時に着用者側へと起立する一対のサイドシートと、
幅方向の両端部が前記一対のサイドシートに接続されるとともに前記一対のサイドシートの間において全幅に亘って前記トップシートと離間可能である撥液性または不透液性のカバーシートと、
を備えることを特徴とする吸収性物品。
【請求項２】
請求項１に記載の吸収性物品であって、
前記カバーシートの幅方向の前記両端部は、前記一対のサイドシートの起立状態における内側面に接続されることを特徴とする吸収性物品。
【請求項３】
請求項１または２に記載の吸収性物品であって、
前記カバーシートは、撥液性または不透液性の不織布であることを特徴とする吸収性物品。
【請求項４】
請求項１ないし３のいずれか１つに記載の吸収性物品であって、
前記カバーシートは、幅方向における伸縮性を有することを特徴とする吸収性物品。
【請求項５】
請求項１ないし４のいずれか１つに記載の吸収性物品であって、
前記カバーシートの長手方向の位置は、男性器の付け根または女性器と対向する対向領域を避けて前記対向領域に隣接する位置であることを特徴とする吸収性物品。
【請求項６】
請求項５に記載の吸収性物品であって、
前記カバーシートのうち、長手方向において前記対向領域から離れている側の端部は、前記トップシートに接合されていることを特徴とする吸収性物品。
【請求項７】
請求項５または６に記載の吸収性物品であって、
前記カバーシートは、長手方向において男性器の付け根よりも後側に配置され、前記男性器を前記トップシートとの間に挟むことを特徴とする吸収性物品。
【請求項８】
請求項５ないし７のいずれか１つに記載の吸収性物品であって、
幅方向の両端部が前記一対のサイドシートに接続されるとともに前記一対のサイドシートの間において全幅に亘って前記トップシートと離間可能である撥液性または不透液性のもう１つのカバーシートをさらに備え、
前記もう１つのカバーシートの長手方向の位置は、肛門と対向する領域よりも後側であることを特徴とする吸収性物品。
【発明の詳細な説明】
【技術分野】
【０００１】
本発明は、着用者からの排泄物を受ける吸収性物品に関する。
【背景技術】
【０００２】
従来、使い捨ておむつ、または、使い捨ておむつの内側に取り付けられる軽失禁用の吸収パッド等の吸収性物品が使用されている。当該吸収性物品では、排泄物を受けた後の湿潤状態のトップシートが着用者の肌に密着すると、着用感が低下したり、肌のかぶれ等が生じるおそれがある。そこで、特許文献１では、左右一対の起立性サイドガードの上端からトップシートに向かってハンモック状に垂下するキャナルシートを、トップシート全体の上方に設けることにより、着用者の肌と湿潤状態のトップシートとの接触を防止する技術が提案されている。
【先行技術文献】
【特許文献】
【０００３】
【特許文献１】特開２０１４−１６６２２７号公報
【発明の概要】
【発明が解決しようとする課題】
【０００４】
ところで、特許文献１の吸収性物品では、親水性不織布により形成されたキャナルシートを着用者の排泄部と対向する位置に設け、当該キャナルシートにより着用者からの尿等を受け、当該キャナルシート上にて尿等を前後方向に拡散させる。このため、湿潤状態のキャナルシート、および、キャナルシート上に残存した尿等が、長時間に亘って着用者の肌に接触するおそれがある。
【０００５】
本発明は、上記課題に鑑みなされたものであり、排泄物を受けた後のトップシートが着用者の肌に接触することを抑制することを目的としている。
【課題を解決するための手段】
【０００６】
請求項１に記載の発明は、着用者からの排泄物を受ける吸収性物品であって、透液性のトップシートと、撥液性または不透液性のバックシートと、前記トップシートと前記バックシートとの間に配置される吸収体と、前記トップシートの幅方向の両側に配置されて着用時に着用者側へと起立する一対のサイドシートと、幅方向の両端部が前記一対のサイドシートに接続されるとともに前記一対のサイドシートの間において全幅に亘って前記トップシートと離間可能である撥液性または不透液性のカバーシートとを備える。
【０００７】
請求項２に記載の発明は、請求項１に記載の吸収性物品であって、前記カバーシートの幅方向の前記両端部は、前記一対のサイドシートの起立状態における内側面に接続される。
【０００８】
請求項３に記載の発明は、請求項１または２に記載の吸収性物品であって、前記カバーシートは、撥液性または不透液性の不織布である。
【０００９】
請求項４に記載の発明は、請求項１ないし３のいずれか１つに記載の吸収性物品であって、前記カバーシートは、幅方向における伸縮性を有する。
【００１０】
請求項５に記載の発明は、請求項１ないし４のいずれか１つに記載の吸収性物品であって、前記カバーシートの長手方向の位置は、男性器の付け根または女性器と対向する対向領域を避けて前記対向領域に隣接する位置である。
【００１１】
請求項６に記載の発明は、請求項５に記載の吸収性物品であって、前記カバーシートのうち、長手方向において前記対向領域から離れている側の端部は、前記トップシートに接合されている。
【００１２】
請求項７に記載の発明は、請求項５または６に記載の吸収性物品であって、前記カバーシートは、長手方向において男性器の付け根よりも後側に配置され、前記男性器を前記トップシートとの間に挟む。
【００１３】
請求項８に記載の発明は、請求項５ないし７のいずれか１つに記載の吸収性物品であって、幅方向の両端部が前記一対のサイドシートに接続されるとともに前記一対のサイドシートの間において全幅に亘って前記トップシートと離間可能である撥液性または不透液性のもう１つのカバーシートをさらに備え、前記もう１つのカバーシートの長手方向の位置は、肛門と対向する領域よりも後側である。
【発明の効果】
【００１４】
本発明では、排泄物を受けた後のトップシートが着用者の肌に接触することを抑制することができる。
【図面の簡単な説明】
【００１５】
【図１】第１の実施の形態に係る吸収性物品の平面図である。
【図２】吸収性物品の横断面図である。
【図３】吸収性物品の一部を示す縦断面図である。
【図４】第２の実施の形態に係る吸収性物品の平面図である。
【図５】吸収性物品の一部を示す縦断面図である。
【図６】吸収性物品の平面図である。
【図７】第３の実施の形態に係る吸収性物品の平面図である。
【図８】吸収性物品の横断面図である。
【発明を実施するための形態】
【００１６】
図１は、本発明の第１の実施の形態に係る吸収性物品１を長手方向に広げた状態にて示す平面図である。図２は、吸収性物品１を図１中のＩＩ−ＩＩの位置にて長手方向（すなわち、図１中における上下方向）に垂直な面で切断した横断面図である。図２では、吸収性物品１の上下方向の大きさ（すなわち、厚さ）を実際よりも大きく描いている。また、図２では、図の理解を容易にするために、実際には接触している吸収性物品１の構成の一部を、上下方向に離間させて描いている。後述する図８においても同様である。
【００１７】
吸収性物品１は、着用者からの尿等の排泄物を受ける。吸収性物品１は、例えば、着用者が着用する外装物品（例えば、使い捨ておむつまたは下着）の内側に取り付けられて使用される軽失禁用の吸収パッドである。図１では、着用者側の面（以下、「上面」という。）を手前側にして吸収性物品１を描いている。
【００１８】
図１中における吸収性物品１の上側の部位１０１および下側の部位１０３はそれぞれ、着用者の腹側および背側の肌に接する部位であり、以下の説明では、「前方部１０１」および「後方部１０３」と呼ぶ。また、前方部１０１と後方部１０３との間において前方部１０１および後方部１０３から連続するとともに着用者の股間部に対向する部位１０２を「中間部１０２」と呼ぶ。吸収性物品１では、前方部１０１、中間部１０２および後方部１０３が長手方向に順に並び、前方部１０１および後方部１０３の幅方向（すなわち、図１中における左右方向）の幅が、中間部１０２の幅よりも大きい。換言すれば、吸収性物品１は、平面視においていわゆる砂時計型である。図１に示す例では、前方部１０１と後方部１０３との幅は、およそ同じである。
【００１９】
図１および図２に示すように、吸収性物品１は、トップシート２１と、バックシート２３と、吸収体２２と、一対のサイドシート２４と、カバーシート２５とを備える。トップシート２１は、バックシート２３の上側（すなわち、着用者側）に配置される。一対のサイドシート２４は、トップシート２１の幅方向の両側に配置される。一対のサイドシート２４も、バックシート２３の上側に配置される。
【００２０】
吸収体２２は、トップシート２１とバックシート２３との間に配置されるシート状部材である。図１では、図の理解を容易にするために、吸収体２２の輪郭を太い破線にて描く。吸収性物品１の前方部１０１および後方部１０３における吸収体２２の幅方向の幅は、中間部１０２における吸収体２２の幅よりも大きい。換言すれば、吸収体２２は、平面視においていわゆる砂時計型である。図１に示す例では、前方部１０１および後方部１０３における吸収体２２の幅は、およそ同じである。
【００２１】
図２に示す例では、バックシート２３の幅方向の幅は、トップシート２１の幅方向の幅よりも大きい。このため、バックシート２３の幅方向の両側の側部は、トップシート２１の幅方向の両側縁から幅方向の外側に延出する。各サイドシート２４の幅は、トップシート２１から延出するバックシート２３の側部の幅よりも大きい。また、トップシート２１の幅は、例えば、吸収体２２の幅よりも小さい。
【００２２】
一対のサイドシート２４はそれぞれ、固定部２４１と、起立部２４２とを備える。固定部２４１は、吸収性物品１の幅方向の側部において、トップシート２１の側部上面、および、バックシート２３の側部上面を覆う略シート状の部位である。固定部２４１は、トップシート２１およびバックシート２３上に固定される。サイドシート２４とトップシート２１およびバックシート２３との固定は、例えば、加熱を伴う加圧による融着、または、接着剤による接着により実現される。
【００２３】
起立部２４２は、固定部２４１の内側縁（図１中において前後方向に延びる破線にて示す。）に連続する略シート状の部位である。起立部２４２は、吸収性物品１の着用時において、固定部２４１の内側縁から着用者側（すなわち、図２中の上側）へと起立する略シート状の部位である。図２では、起立状態のサイドシート２４を描いている。起立部２４２の上端部（すなわち、自由端部）には、長手方向に延びる弾性部材２４３が設けられている。弾性部材２４３が収縮することにより、起立部２４２にギャザーが形成され、起立部２４２は上述のように起立する。
【００２４】
カバーシート２５は、平面視において略矩形のシート部材であり、前方部１０１に配置される。図１に示す例では、カバーシート２５の長手方向の長さは、幅方向の幅よりも短い。換言すれば、カバーシート２５は、平面視において幅方向に長い略長方形である。カバーシート２５の長手方向の長さは、例えば、１０ｃｍ以上であることが好ましい。
【００２５】
カバーシート２５の幅方向の両端部は、一対のサイドシート２４に接続される。例えば、カバーシート２５の幅方向の両端部は、一対のサイドシート２４において起立状態の起立部２４２の幅方向の内側面２４５に接続される。図２に示す例では、カバーシート２５の幅方向の端部は、起立状態の起立部２４２の内側面２４５において、上下方向の中央部よりも下側の部位に接続される。カバーシート２５と一対のサイドシート２４との接続は、例えば、加熱を伴う加圧による融着、または、接着剤による接着により実現される。
【００２６】
一対のサイドシート２４において、起立部２４２がトップシート２１上に倒伏している状態では、カバーシート２５は、トップシート２１の上面に接触する。また、図２に示すように、サイドシート２４の起立部２４２が起立している状態では、カバーシート２５はトップシート２１の上面から上方に離間し、カバーシート２５とトップシート２１との間に空間が形成される。
【００２７】
カバーシート２５は、一対のサイドシート２４の間において、カバーシート２５の全幅に亘ってトップシート２１と離間可能である。図１および図２に示す例では、カバーシート２５は、トップシート２１とは部分的にも接合されておらず、全面に亘ってトップシート２１から離間可能である。なお、カバーシート２５は、長手方向の少なくとも一部において、カバーシート２５の全幅に亘ってトップシート２１と離間可能であればよい。すなわち、カバーシート２５は、長手方向の一部においてトップシート２１と接合する接合部を有していてもよい。
【００２８】
吸収性物品１におけるカバーシート２５の長手方向の位置は、男性器の付け根と対向する対向領域１０４を避けて、対向領域１０４に隣接する位置であることが好ましい。図１中では、対向領域１０４を二点鎖線にて囲み、平行斜線を付す（後述する対向領域１０５，１０６についても同様）。図１に示す例では、カバーシート２５は、対向領域１０４の後側に隣接する。また、吸収性物品１におけるカバーシート２５の長手方向の位置は、女性器と対向する対向領域１０５を避けて、対向領域１０５に隣接する位置であることも好ましい。図１に示す例では、カバーシート２５は、対向領域１０５の前側に隣接する。
【００２９】
換言すれば、吸収性物品１におけるカバーシート２５の長手方向の位置は、男性器の付け根と対向する対向領域１０４、または、女性器と対向する対向領域１０５を避けて、対向領域１０４または対向領域１０５に隣接する位置であることが好ましい。さらに好ましくは、カバーシート２５の長手方向の位置は、対向領域１０４および対向領域１０５を避けて、対向領域１０４と対向領域１０５との間にて対向領域１０４および対向領域１０５に隣接する位置である。
【００３０】
トップシート２１は、透液性のシート部材である。トップシート２１は、着用者からの排泄物の水分を速やかに捕捉して吸収体２２へと移動させる。トップシート２１としては、例えば、透液性の不織布が利用される。当該不織布は、例えば、表面を界面活性剤により親水処理した疎水性繊維（ポリプロピレン、ポリエチレン、ポリエステル、ポリアミド、ナイロン等）にて形成されたポイントボンド不織布、エアスルー不織布、スパンボンド不織布等である。なお、トップシート２１として、セルロースやレーヨン、コットン等の親水性繊維により形成された不織布（例えば、スパンレース不織布）が利用されてもよい。
【００３１】
吸収体２２は、トップシート２１を透過した水分を吸収して保持する。吸収体２２は、例えば、粉砕したパルプ繊維またはセルロース繊維等の親水性繊維の集合体に、高吸収性材料を混合したものである。当該親水性繊維の集合体は、ティッシュペーパーまたは透液性不織布等により包まれてもよい。高吸収性材料としては、例えば、粒状の高吸収性ポリマー（ＳＡＰ（Super Absorbent Polymer））、または、繊維状の高吸収性ファイバー（ＳＡＦ（Super Absorbent Fiber））が利用される。吸収体２２としては、例えば、粒状の高吸収性ポリマーを２枚の透液性のシート部材の間に挟んで固定したもの（いわゆる、ポリマーシート）が利用されてもよい。
【００３２】
バックシート２３は、撥液性または不透液性のシート部材である。バックシート２３は、バックシート２３に到達した水分が吸収性物品１の外部にしみ出すことを防止する。バックシート２３としては、例えば、撥液性または不透液性の不織布やプラスチックフィルム、あるいは、これらの不織布とプラスチックフィルムとが積層された積層シートが利用される。バックシート２３に利用される不織布は、例えば、疎水性繊維にて形成されたスパンボンド不織布、メルトブロー不織布またはＳＭＳ（スパンボンド・メルトブロー・スパンボンド）不織布であり、必要に応じて撥液処理が施される。バックシート２３にプラスチックフィルムが利用される場合、吸収性物品１のムレを防止して着用者の快適性を向上するという観点からは、透湿性（通気性）を有するプラスチックフィルムが利用されることが好ましい。
【００３３】
一対のサイドシート２４では、起立して着用者の肌に接触する起立部２４２により、吸収性物品１の側部に到達した排泄物の水分等が、吸収性物品１の外部にしみ出すことが防止される。各サイドシート２４の固定部２４１および起立部２４２は、例えば、撥液性または不透液性のシート部材である。固定部２４１および起立部２４２は、例えば、撥液性または不透液性の不織布により形成される。当該不織布は、例えば、疎水性繊維にて形成されたエアスルー不織布、スパンボンド不織布、メルトブロー不織布またはＳＭＳ不織布であり、必要に応じて撥液処理が施される。各サイドシート２４の弾性部材２４３しては、例えば、ポリウレタン糸、帯状のポリウレタンフィルム、糸状または帯状の天然ゴム等が用いられる。図２に示す例では、弾性部材２４３は２本のポリウレタン糸を有し、起立部２４２の上端部にて２層に積層されたシート部材の間に接合される。
【００３４】
カバーシート２５は、撥液性または不透液性のシート部材である。カバーシート２５は、トップシート２１の上面の一部を覆い、排泄物を受けた後の湿潤状態のトップシート２１が、着用者の肌に直接的に接触することを抑制する。カバーシート２５としては、例えば、撥液性または不透液性の不織布が利用される。当該不織布は、例えば、疎水性繊維にて形成されたエアスルー不織布、スパンボンド不織布、メルトブロー不織布またはＳＭＳ不織布であり、必要に応じて撥液処理が施される。カバーシート２５は、サイドシート２４の固定部２４１および起立部２４２と同じ種類のシート部材であってもよく、異なる種類のシート部材であってもよい。カバーシート２５は、上述の吸収体２２が有する親水性繊維および高吸収性ポリマーを実質的に含まない。
【００３５】
カバーシート２５の撥液性および不透液性は、例えば、接触角により定義される。カバーシート２５では、接触角が９０°以上である場合、撥液性または不透液性を有している、と定義され、接触角が９０°未満である場合、撥液性および不透液性を有していない、と定義される。後述するカバーシート２５ｂについても同様である。
【００３６】
カバーシート２５の接触角は、以下のように測定される。まず、試験液として、「ＪＩＳ  Ｋ６７６８」に規定されているぬれ張力試験の試薬として利用される混合液（表面張力：４０ｍＮ／ｍ）を準備する。続いて、水平面上に載置されたカバーシート２５の表面に、当該混合液をマイクロピットを利用して２μＬ（マイクロリットル）滴下する。そして、カバーシート２５上の液滴の接触角を、接触角計にて測定する。ぬれ張力試験用の混合液としては、富士フイルム和光純薬株式会社製の混合液が利用可能である。接触角計としては、株式会社ハギテック製のポータブル接触角計ＳＴ−１が利用可能である。
【００３７】
カバーシート２５は、好ましくは、幅方向における伸縮性を有する。換言すれば、カバーシート２５は、左右方向に伸縮可能である。カバーシート２５は、例えば、一対のサイドシート２４の起立部２４２がトップシート２１上に倒伏している状態では非伸張状態であり、起立部２４２の起立に伴って幅方向に伸張されて非伸張状態よりも幅が広がる。このため、一対の起立部２４２の間の距離（具体的には、一対の起立部２４２において、カバーシート２５が接続されている部位間の距離）を、非伸張状態のカバーシート２５の幅よりも大きくすることができる。換言すれば、カバーシート２５による起立部２４２の起立阻害を抑制することができ、起立部２４２を好適に起立させることができる。
【００３８】
カバーシート２５は、例えば、幅方向に延びる１本または複数のポリウレタン糸等の弾性部材が伸張状態にて接合された不織布である。この場合、一対の起立部２４２がトップシート２１上に倒伏している状態では、カバーシート２５は、当該弾性部材が幅方向に収縮することによりギャザー状となっている。また、カバーシート２５は、幅方向に伸縮可能な伸縮性不織布により形成されてもよい。
【００３９】
図３は、男性の着用者により着用された吸収性物品１の一部を拡大して示す縦断面図である。吸収性物品１では、上述のように、カバーシート２５は、男性器９１の付け根と対向する対向領域１０４を避けて、対向領域１０４の後側に隣接して配置される。換言すれば、カバーシート２５は、長手方向において男性器９１の付け根よりも後側に配置される。男性器９１は、トップシート２１と、トップシート２１から離間可能なカバーシート２５との間の空間に、前側（すなわち、対向領域１０４側）から挿入される。これにより、男性器９１は、カバーシート２５とトップシート２１との間に挟まれる。換言すれば、男性器９１のうち付け根部以外の部位は、カバーシート２５により覆われる。
【００４０】
図３に示す状態で排尿が行われた場合、男性器９１からの尿は、カバーシート２５とトップシート２１との間の空間に排出される。尿は、当該空間において、トップシート２１を透過して吸収体２２により吸収される。また、尿は、トップシート２１により当該空間から前後方向へと拡散する。トップシート２１は、男性器９１近傍において最も湿潤しており、男性器９１から離れるに従って、トップシート２１の湿潤の程度（以下、「湿潤度」とも呼ぶ。）が小さくなる。吸収性物品１では、トップシート２１のうち、男性器９１からの尿を受けて湿潤度が大きい部位が、カバーシート２５により覆われているため、当該部位が着用者の肌に直接的に接触することを防止することができる。また、カバーシート２５は、上述のように撥液性または不透液性のシート部材であるため、トップシート２１を湿潤させている尿が、カバーシート２５を透過して着用者の肌に接触することを抑制することができる。
【００４１】
吸収性物品１は、女性の着用者により着用されてもよい。この場合、カバーシート２５の長手方向の位置が、女性器と対向する対向領域１０５を避けて、対向領域１０５に隣接する位置であることにより、女性器から排出された尿がカバーシート２５の上面上に溜まることを抑制することができる。また、上記と同様に、トップシート２１のうち尿を受けて湿潤度が大きい部位が、カバーシート２５により覆われるため、当該部位が着用者の肌に直接的に接触することを防止することができる。
【００４２】
以上に説明したように、着用者からの排泄物を受ける吸収性物品１は、透液性のトップシート２１と、撥液性または不透液性のバックシート２３と、吸収体２２と、一対のサイドシート２４と、撥液性または不透液性のカバーシート２５とを備える。吸収体２２は、トップシート２１とバックシート２３との間に配置される。一対のサイドシート２４は、トップシート２１の幅方向の両側に配置されて、着用時に着用者側へと起立する。カバーシート２５の幅方向の両端部は、一対のサイドシート２４に接続される。カバーシート２５は、一対のサイドシート２４の間において、全幅に亘ってトップシート２１と離間可能である。これにより、排泄物を受けた後のトップシート２１が着用者の肌に直接的に接触することを抑制することができる。その結果、吸収性物品１の着用感を向上することができる。
【００４３】
上述のように、カバーシート２５の幅方向の両端部は、一対のサイドシート２４の起立状態における内側面２４５に接続されることが好ましい。これにより、吸収性物品１の着用時に、起立部２４２の起立に伴ってカバーシート２５をトップシート２１から容易に離間させることができる。したがって、カバーシート２５と、湿潤状態となったトップシート２１との接触を抑制することができる。その結果、着用者の肌のうちカバーシート２５と触れる部位に、湿潤状態のトップシート２１が貼り付くような感触が付与されることを抑制することができ、吸収性物品１の着用感をさらに向上することができる。また、吸収性物品１が男性の着用者により着用される場合、カバーシート２５とトップシート２１との間に男性器９１を容易に挿入することができる。さらに、カバーシート２５がサイドシート２４の外側面（すなわち、起立部２４２の外側面）に接続される場合に比べて、カバーシート２５による起立部２４２の起立阻害を抑制することができ、起立部２４２を好適に起立させることができる。
【００４４】
上述のように、カバーシート２５は、撥液性または不透液性の不織布であることが好ましい。これにより、カバーシート２５の肌触りをトップシート２１の肌触りと類似のものとすることができ、その結果、カバーシート２５の肌への接触による吸収性物品１の着用感低下を防止または抑制することができる。
【００４５】
上述のように、カバーシート２５は、幅方向における伸縮性を有することが好ましい。これにより、カバーシート２５による起立部２４２の起立阻害を抑制することができ、起立部２４２を好適に起立させることができる。
【００４６】
上述のように、カバーシート２５の長手方向の位置は、男性器９１の付け根と対向する対向領域１０４を避けて、対向領域１０４に隣接する位置であることが好ましい。これにより、トップシート２１のうち排泄物による湿潤度が大きい部位が、カバーシート２５により覆われるため、当該部位が着用者の肌に直接的に接触することを防止することができる。その結果、吸収性物品１の着用感をさらに向上することができる。
【００４７】
上述のように、カバーシート２５は、長手方向において男性器９１の付け根よりも後側に配置され、男性器９１をトップシート２１との間に挟むことが好ましい。これにより、トップシート２１のうち、男性器９１から排出された尿を多量に受ける部位が、カバーシート２５により覆われ、当該部位が着用者の肌に直接的に接触することが防止される。その結果、吸収性物品１の着用感をより一層向上することができる。
【００４８】
上述のように、カバーシート２５の長手方向の位置は、女性器と対向する対向領域１０５を避けて、対向領域１０５に隣接する位置であることも好ましい。これにより、女性器からの尿等の排泄物がカバーシート２５の上面上に溜まって、着用者の肌に直接的に接触することを抑制することができる。また、トップシート２１のうち排泄物による湿潤度が大きい部位が、カバーシート２５により覆われるため、当該部位が着用者の肌に直接的に接触することを防止することができる。その結果、吸収性物品１の着用感をさらに向上することができる。
【００４９】
次に、本発明の第２の実施の形態に係る吸収性物品１ａについて説明する。図４は、吸収性物品１ａを示す平面図である。図５は、吸収性物品１ａの一部を拡大して示す縦断面図である。吸収性物品１ａは、カバーシート２５の固定態様が吸収性物品１と異なる点を除き、吸収性物品１と略同様の構造を有する。吸収性物品１ａのカバーシート２５の形状、大きさ、および、長手方向の位置は、図１に示すものと略同様である。以下の説明では、吸収性物品１ａにおいて、吸収性物品１の構成と対応する構成に同符号を付す。吸収性物品１ａは、例えば、男性用の補助吸収具である。
【００５０】
吸収性物品１ａでは、吸収性物品１と同様に、カバーシート２５の幅方向の両端部は、一対のサイドシート２４に接続される。例えば、カバーシート２５の幅方向の両端部は、一対のサイドシート２４において起立状態の起立部２４２の幅方向の内側面２４５（図２参照）に接続される。好ましくは、カバーシート２５の幅方向の端部は、起立状態の起立部２４２の内側面２４５において、上下方向の中央部よりも下側の部位に接続される。
【００５１】
また、カバーシート２５のうち、長手方向において対向領域１０４から離れている側の端部である後端部２５２は、トップシート２１の上面に接合されている。カバーシート２５とトップシート２１との接合は、例えば、ホットメルト接着剤等による接着により実現される。図４では、カバーシート２５とトップシート２１との接合領域２６に平行斜線を付す。接合領域２６は、例えば、幅方向に延びる略帯状である。接合領域２６の幅方向の両端部は、例えば、一対のサイドシート２４よりも幅方向の内側に位置する。なお、接合領域２６の形状および大きさは様々に変更されてよい。例えば、接合領域２６は、カバーシート２５の略全幅に亘る帯状であってもよい。あるいは、接合領域２６は、略矩形状の複数の接合領域要素が幅方向に断続的に配列されたものであってもよい。
【００５２】
吸収性物品１ａでは、吸収性物品１と同様に、カバーシート２５の長手方向の位置は、男性器９１の付け根と対向する対向領域１０４を避けて、対向領域１０４に隣接する位置である。そして、上述のように、カバーシート２５のうち長手方向において対向領域１０４から離れている側の端部（すなわち、後端部２５２）は、トップシート２１に接合されている。これにより、カバーシート２５とトップシート２１との間に排出された尿が、カバーシート２５よりも後側へと流れて広がることを抑制することができる。したがって、カバーシート２５よりも後側におけるトップシート２１の湿潤を抑制することができる。その結果、湿潤状態のトップシート２１が着用者の肌に直接的に接触することを抑制することができ、吸収性物品１ａの着用感を向上することができる。
【００５３】
また、カバーシート２５は、長手方向において男性器９１の付け根よりも後側に配置され、男性器９１をトップシート２１との間に挟むことが好ましい。これにより、上述のように、トップシート２１のうち、男性器９１から排出された尿を多量に受ける部位が、カバーシート２５により覆われ、当該部位が着用者の肌に直接的に接触することが防止される。その結果、吸収性物品１ａの着用感をさらに向上することができる。
【００５４】
吸収性物品１ａが女性用の補助吸収具である場合、図６に示すように、カバーシート２５の長手方向の位置は、女性器と対向する対向領域１０５を避けて、対向領域１０５に隣接する位置であり、カバーシート２５のうち、長手方向において対向領域１０５から離れている側の端部である前端部２５１が、トップシート２１に接合されていることが好ましい。これにより、尿等の排泄物が、カバーシート２５よりも前側へと流れて広がることを抑制することができる。したがって、カバーシート２５よりも前側におけるトップシート２１の湿潤を抑制することができる。その結果、湿潤状態のトップシート２１が着用者の肌に直接的に接触することを抑制することができ、吸収性物品１ａの着用感を向上することができる。なお、図６におけるトップシート２１とカバーシート２５との接合領域２６ａの形状は、上述の接合領域２６の形状と同じであってもよく、異なっていてもよい。
【００５５】
次に、本発明の第３の実施の形態に係る吸収性物品１ｂについて説明する。図７は、吸収性物品１ｂを示す平面図である。図８は、吸収性物品１ｂを図７中のＶＩＩＩ−ＶＩＩＩの位置にて長手方向に垂直な面で切断した横断面図である。吸収性物品１ｂは、カバーシート２５に加えてもう１つのカバーシート２５ｂをさらに備える点を除き、吸収性物品１と略同様の構造を有する。以下の説明では、吸収性物品１ｂにおいて、吸収性物品１の構成と対応する構成に同符号を付す。
【００５６】
カバーシート２５ｂは、平面視において略矩形のシート部材であり、後方部１０３に配置される。吸収性物品１ｂにおけるカバーシート２５ｂの長手方向の位置は、着用者の肛門と対向する領域である対向領域１０６よりも後側であり、対向領域１０６に隣接する。カバーシート２５ｂの形状および大きさは、例えば、カバーシート２５と略同様である。カバーシート２５ｂは、撥液性または不透液性のシート部材である。カバーシート２５ｂとしては、例えば、撥液性または不透液性の不織布が利用される。カバーシート２５ｂは、例えば、カバーシート２５と同じ種類の不織布により形成される。なお、カバーシート２５ｂの形状、大きさおよび種類は、カバーシート２５と異なっていてもよい。カバーシート２５ｂは、上述の吸収体２２が有する親水性繊維および高吸収性ポリマーを実質的に含まない。
【００５７】
カバーシート２５ｂの幅方向の両端部は、一対のサイドシート２４に接続される。例えば、カバーシート２５ｂの幅方向の両端部は、一対のサイドシート２４において起立状態の起立部２４２の幅方向の内側面２４５に接続される。図８に示す例では、カバーシート２５ｂの幅方向の端部は、起立状態の起立部２４２の内側面２４５において、上下方向の中央部よりも下側の部位に接続される。カバーシート２５ｂと一対のサイドシート２４との接続は、例えば、加熱を伴う加圧による融着、または、接着剤による接着により実現される。
【００５８】
一対のサイドシート２４において、起立部２４２がトップシート２１上に倒伏している状態では、カバーシート２５ｂは、カバーシート２５と同様にトップシート２１の上面に接触する。また、図８に示すように、サイドシート２４の起立部２４２が起立している状態では、カバーシート２５ｂはトップシート２１の上面から上方に離間し、カバーシート２５ｂとトップシート２１との間に空間が形成される。
【００５９】
カバーシート２５ｂは、カバーシート２５と同様に、一対のサイドシート２４の間において、カバーシート２５ｂの全幅に亘ってトップシート２１と離間可能である。図７および図８に示す例では、カバーシート２５ｂは、トップシート２１とは部分的にも接合されておらず、全面に亘ってトップシート２１から離間可能である。なお、カバーシート２５ｂは、長手方向の少なくとも一部において、カバーシート２５ｂの全幅に亘ってトップシート２１と離間可能であればよい。すなわち、カバーシート２５ｂは、長手方向の一部においてトップシート２１と接合する接合部を有していてもよい。
【００６０】
以上に説明したように、吸収性物品１ｂは、上述のカバーシート２５に加えて、撥液性または不透液性のカバーシート２５ｂをさらに備える。カバーシート２５ｂの幅方向の両端部は、一対のサイドシート２４に接続される。カバーシート２５ｂは、一対のサイドシート２４の間において、全幅に亘ってトップシート２１と離間可能である。カバーシート２５ｂの長手方向の位置は、肛門と対向する領域（すなわち、対向領域１０６）よりも後側である。これにより、肛門から排出された便を、カバーシート２５ｂとトップシート２１との間の空間に収容することができる。したがって、便が着用者の肌に直接的に接触することを抑制することができる。その結果、吸収性物品１ｂの着用感を向上することができる。
【００６１】
上述の吸収性物品１，１ａ，１ｂでは、様々な変更が可能である。
【００６２】
例えば、吸収性物品１，１ａでは、カバーシート２５の長手方向の位置は、上述の例には限定されず、様々に変更されてよい。吸収性物品１ｂにおけるカバーシート２５，２５ｂの長手方向の位置についても同様である。
【００６３】
カバーシート２５は、幅方向における伸縮性を有していてもよく、有していなくてもよい。カバーシート２５ｂについても同様である。
【００６４】
カバーシート２５，２５ｂは、撥液性または透液性のシート部材であれば、必ずしも不織布である必要はなく、様々な材料により形成されてよい。例えば、カバーシート２５，２５ｂは、プラスチックフィルムの上面に不織布が積層された積層シートであってもよい。この場合、当該不織布は、撥液性または不透液性を有していてもよく、有していなくてもよい。
【００６５】
カバーシート２５の幅方向の端部は、サイドシート２４に接続されるのであれば、必ずしもサイドシート２４に対して着脱不能に固定される必要はなく、着脱自在に取り付けられてもよい。例えば、カバーシート２５の幅方向の一方の端部は、起立部２４２の内側面２４５に対して実質的に着脱不能に固定され、カバーシート２５の幅方向の他方の端部は、面ファスナ等を介して、起立部２４２の内側面２４５に着脱自在に取り付けられてもよい。これにより、カバーシート２５の長手方向の位置を、着用者の体型等に合わせて調節することができる。カバーシート２５ｂについても同様である。
【００６６】
カバーシート２５の幅方向の両端部は、必ずしも、一対のサイドシート２４の起立状態における内側面２４５（すなわち、起立部２４２の内側面２４５）に接続される必要はない。カバーシート２５の幅方向の両端部は、一対のサイドシート２４の他の部位（例えば、起立部２４２の自由端または外側面）に接続されてもよい。カバーシート２５ｂについても同様である。
【００６７】
吸収性物品１，１ａ，１ｂでは、カバーシート２５，２５ｂの数は様々に変更されてよい。
【００６８】
吸収性物品１，１ａ，１ｂの平面視における形状は、様々に変更されてよく、例えば略長方形であってもよい。
【００６９】
吸収性物品１，１ａ，１ｂの構造は、軽失禁用パッド以外の様々な用途に利用される吸収性物品（例えば、生理用ナプキン）に採用されてよい。
【００７０】
上記実施の形態および各変形例における構成は、相互に矛盾しない限り適宜組み合わされてよい。
【符号の説明】
【００７１】
１，１ａ，１ｂ    吸収性物品
２１    トップシート
２２    吸収体
２３    バックシート
２４    サイドシート
２５，２５ｂ    カバーシート
９１    男性器
１０４，１０５，１０６    対向領域
２４５    （サイドシートの）内側面
２５１    （カバーシートの）前端部
２５２    （カバーシートの）後端部
【図１】
2020191996.tif 000003
【図２】
2020191996.tif 000004
【図３】
2020191996.tif 000005
【図４】
2020191996.tif 000006
【図５】
2020191996.tif 000007
【図６】
2020191996.tif 000008
【図７】
2020191996.tif 000009
【図８】
2020191996.tif 000010